(57)【要約】【課題】  創造性を高めることができる興味深い立体迷路形成用玩具を提供する点にある。【解決手段】  出入り口２ａを通して内部に受け入れた転動体３を該出入り口２ａとは異なる方向から外部へ排出するための複数の他の出入り口２ｂ，２ｃとを連通させるための移動経路２Ａ，２Ｂが形成されたブロック２の複数を設け、前記複数のブロック２を水平方向にほぼ隙間無く並べると共に該並べられた複数のブロック２の上方に他のブロック２を積み重ねることにより、上方に位置する特定のブロック２に受け入れた転動体３を水平方向又は上下方向で隣り合う他の特定のブロック２に受け渡し可能に構成した。【選択図】        図２
2006000619.tif 000002
【特許請求の範囲】
【請求項１】
出入り口を通して内部に受け入れた転動体を該出入り口とは異なる方向から外部へ排出するための複数の他の出入り口とを連通させるための移動経路が形成されたブロックの複数を設け、前記複数のブロックを水平方向にほぼ隙間無く並べると共に該並べられた複数のブロックの上方に他のブロックを積み重ねることにより、上方に位置する特定のブロックに受け入れた転動体を水平方向又は上下方向で隣り合う他の特定のブロックに受け渡し可能に構成してなる立体迷路形成用玩具。
【請求項２】
前記ブロックの移動経路が外部から視認可能となるように該ブロックを透明又は半透明な材料から構成してなる請求項１記載の立体迷路形成用玩具。
【請求項３】
前記ブロックが立方体又は多面体でなる請求項１又は２記載の立体迷路形成用玩具。
【請求項４】
前記立方体の１つの面に第１出入り口を形成し、この第１出入り口を通して内部に受け入れた転動体を該面と対向位置する平行な他面に形成された第２出入り口とを連通する第１移動経路を形成し、該第１移動経路の中間部と前記２つの面を除いた他の１つの面に形成された第３出入り口とを連通する第２移動経路を形成して、該立方体にほぼＴ字状の移動経路を形成してなる請求項３記載の立体迷路形成用玩具。
【請求項５】
前記第３出入り口が上面に位置し、かつ、前記第１出入り口及び第２出入り口が水平方向に位置している状態において、該第３出入り口から受け入れた転動体を一時的に保持可能な凹部を前記第１移動経路に形成してなる請求項４記載の立体迷路形成用玩具。
【請求項６】
一面に形成された第１出入り口とこれを通して内部に受け入れた転動体を該一面と対向位置する平行な他面に形成された第２出入り口とを連通する第１移動経路と、該第１移動経路の中間部と該２つの面を除いた他の１つの面に形成された第３出入り口とを連通する第２移動経路とからなるほぼＴ字状の移動経路が形成されてなる立方体の複数を設け、前記複数の立方体を水平方向にほぼ隙間無く並べると共に該並べられた複数の立方体の上方に他の立方体を積み重ねることにより、上方に位置する特定の立方体に受け入れた転動体を水平方向又は上下方向で隣り合う他の立方体に受け渡し可能に構成し、前記のように配置された多数の立方体を収納可能なケーシングを設け、前記移動経路が外部から視認可能となるように該立方体及びケーシングを透明又は半透明な材料から構成し、前記ケーシングをほぼ矩形状の底板部とこの底板部の４辺のうちの特定の２辺又は３辺から上方に立ち上げられた２つの縦板部又は３つの縦板部とから構成してなる立体迷路形成用玩具。
【請求項７】
前記ケーシングの２つの開口又は３つの開口を閉じるためのカバー部材を設け、前記ケーシングに前記カバー部材を係止した状態でスライドさせて該ケーシングの開口を閉じるための係止案内手段を該ケーシング及びカバー部材に備えさせてなる請求項６に記載の立体迷路形成用玩具。
【請求項８】
前記カバー部材及びケーシングの少なくとも一方に、前記ケーシング内に備えさせた立方体の出入り口に転動体を受け渡したり、該ケーシング内から外部に転動体を移動させるための開口を形成してなる請求項７に記載の立体迷路形成用玩具。
【請求項９】
出入り口を通して内部に受け入れた転動体を該出入り口とは異なる方向から外部へ排出するための複数の他の出入り口とを連通させるための移動経路が形成されたブロックの複数を設け、前記特定の複数のブロックを転動体の受け渡し可能な状態で該ブロックの出入り口同士に嵌合して連結するための内部中空の開通路用連結部材とその他のブロックの出入口同士に嵌合して連結する内部中実の閉路用連結部材を設けてなる立体迷路形成用玩具。
【発明の詳細な説明】
【技術分野】
【０００１】
本発明は、水平方向に複数のブロックを隙間無く並べる又は少し隙間が開いた状態で並べると共にそれら並べられた複数のブロックの上方に他のブロックを積み重ねて最低限４つのブロックにて形成されるブロック体にて立体迷路を構成することによって、例えば転動体を上方又は下方に位置する特定のブロックから下方又は上方に位置する特定のブロックへ移動させることができる立体迷路形成用玩具に関する。前記隙間は、転動体を受け渡すことができる程度の隙間である。又、前記立体迷路形成用玩具は、複数のブロックを連結部材を用いて連結したものであってもよい。この場合のブロック同士の隙間は、連結部材の長さによって変更できる。
【背景技術】
【０００２】
例えば上方が開放されたベース内に、ビー玉を受け入れて移動させるための移動経路が形成された多数（実際には１６個）のブロックを水平方向に隙間無く並べることによって、移動経路を変更させて、特定のブロックに入れたビー玉が隣り合うブロックを移動しながら、所定のブロックまで移動することができるボード型迷路玩具が既に提案されている（例えば、特許文献１参照）。
【特許文献１】実用新案登録第３０８８３８１号公報
【発明の開示】
【発明が解決しようとする課題】
【０００３】
上記特許文献１のボード型迷路玩具によれば、ビー玉の移動経路の変更が水平方向（二次元方向）しかできないため、移動経路が単純なものになってしまい、高度な遊戯を行いたい遊戯者にとっては創造性を高めることができず、興味深い玩具とは言えるものではなかった。
【０００４】
本発明が前述の状況に鑑み、解決しようとするところは、創造性を高めることができる興味深い立体迷路形成用玩具を提供する点にある。
【課題を解決するための手段】
【０００５】
本発明は、前述の課題解決のために、出入り口を通して内部に受け入れた転動体を該出入り口とは異なる方向から外部へ排出するための複数の他の出入り口とを連通させるための移動経路が形成されたブロックの複数を設け、前記複数のブロックを水平方向にほぼ隙間無く並べると共に該並べられた複数のブロックの上方に他のブロックを積み重ねることにより、上方に位置する特定のブロックに受け入れた転動体を水平方向又は上下方向で隣り合う他の特定のブロックに受け渡し可能に構成している。
上記のように３つ以上の出入り口が形成された複数のブロックを上下方向及び水平方向に配置して少なくとも４つのブロックが積み重ねられたブロック体から構成することによって、転動体の移動経路を水平方向だけでなく、上下方向へも変更することができ、複雑な移動経路を形成することができる。又、ブロック及びケーシングを透明又は半透明な材料から構成することによって、移動経路を忘れた場合でも直ちに確認することができ、遊戯に集中することができる。
【０００６】
前記ブロックの移動経路が外部から視認可能となるように該ブロック及びケーシングを透明又は半透明な材料から構成してもよい。
【０００７】
前記ブロックを立方体又は多面体から構成してもよい。
【０００８】
前記立方体の１つの面に第１出入り口を形成し、この第１出入り口を通して内部に受け入れた転動体を該面水平横一側方水平横一側方と対向位置する平行な他面に形成された第２出入り口とを連通する第１移動経路を形成し、該第１移動経路の中間部と前記２つの面を除いた他の１つの面に形成された第３出入り口とを連通する第２移動経路を形成して、該立方体にほぼＴ字状の移動経路を形成してもよい。
【０００９】
前記第３出入り口が上面に位置し、かつ、前記第１出入り口及び第２出入り口が水平方向に位置している状態において、該第３出入り口から受け入れた転動体を一時的に保持可能な凹部を前記第１移動経路に形成してもよい。
【００１０】
１つの面に形成された第１出入り口とこれを通して内部に受け入れた転動体を該面と対向位置する平行な他面に形成された第２出入り口とを連通する第１移動経路と、該第１移動経路の中間部と該２つの面を除いた他の１つの面に形成された第３出入り口とを連通する第２移動経路とからなるほぼＴ字状の移動経路が形成されてなる立方体の複数を設け、前記複数の立方体を水平方向にほぼ隙間無く並べると共に該並べられた複数の立方体の上方に他の立方体を積み重ねることにより、上方に位置する特定の立方体に受け入れた転動体を水平方向又は上下方向で隣り合う他の立方体に受け渡し可能に構成し、前記のように配置された多数の立方体を収納可能なケーシングを設け、前記移動経路が外部から視認可能となるように該立方体及びケーシングを透明又は半透明な材料から構成し、前記ケーシングをほぼ矩形状の底板部とこの底板部の４辺のうちの特定の２辺又は３辺から上方に立ち上げられた２つの縦板部又は３つの縦板部とから構成してもよい。
【００１１】
前記ケーシングの２つの開口又は３つの開口を閉じるためのカバー部材を設け、前記ケーシングに前記カバー部材を係止した状態でスライドさせて該ケーシングの開口を閉じるための係止案内手段を該ケーシング及びカバー部材に備えさせてもよい。
【００１２】
前記カバー部材及びケーシングの少なくとも一方に、前記ケーシング内に備えさせた立方体の出入り口に転動体を受け渡したり、該ケーシング内から外部に転動体を移動させるための開口を形成してもよい。
【００１３】
出入り口を通して内部に受け入れた転動体を該出入り口とは異なる方向から外部へ排出するための複数の他の出入り口とを連通させるための移動経路が形成されたブロックの複数を設け、前記特定の複数のブロックを転動体の受け渡し可能な状態で該ブロックの出入り口同士に嵌合して連結するための内部中空の開通路用連結部材とその他のブロックの出入口同士に嵌合して連結する内部中実の閉路用連結部材を設けて、立体迷路形成用玩具を構成してもよい。
【発明の効果】
【００１４】
複数のブロックを水平方向にほぼ隙間無く並べると共に並べられた複数のブロックの上方に他のブロックを積み重ねることにより、移動経路を三次元方向に変更することができ、二次元方向に変更する玩具に比べて、創造性を高めることができる興味深い立体迷路形成用玩具を提供することができる。
【００１５】
ブロックを透明又は半透明な材料から構成することによって、迷路形成作業中に移動経路を忘れた場合でも見るだけで直ちに確認することができ、また転動体の迷路脱出ゲーム中にも移動経路の予測ができるため、遊戯に集中することができないといったことがなく、遊戯を行う上で最適な玩具にすることができる。
【００１６】
ブロックを立方体から構成することによって、移動経路設計の自由度を上げることができる。また、積み重ねたときの安定性がよく、外力が加わらない限り、積み重ねている多数のブロックが容易に崩れることを抑制することができる。前記ブロックを立方体に代えて、多面体から構成することもできる。この多面体としては、４つ以上の平面多角形で囲まれた立体であり、３つの三角形の面を持つ三角錐、四角形の底面と４つの三角形の面を持つ四角錐、４つの正三角形の面を持つ正四面体、６つの正方形の面を持つ正六面体（立方体）、１２個の正五角形の面を持つ正十二面体などがある。
【００１７】
立方体の１つの面に第１出入り口を形成し、この第１出入り口を通して内部に受け入れた転動体を１つの面と対向位置する平行な他面に形成された第２出入り口とを連通する第１移動経路を形成し、第１移動経路の中間部と２つの面を除いた他の１つの面に形成された第３出入り口とを連通する第２移動経路を形成して、立方体にほぼＴ字状の移動経路を形成することによって、６面の半分を越える４面以上の出入り口を形成するものに比べて、出入り口形成作業を迅速に行うことができるだけでなく、例えば十字状に移動経路を形成した場合に、転動体が移動する方向が多く成りすぎて、遊戯性が逆に低下するといったことを回避することができる利点がある。
【００１８】
第３出入り口が上面に位置し、かつ、第１出入り口及び第２出入り口が水平方向に位置している状態において、第３出入り口から受け入れた転動体を一時的に保持可能な凹部を第１移動経路に形成することによって、第１移動経路に移動した転動体が第１移動経路の両端に形成の２つの出入り口のうちの排出したい側の出入り口から確実に排出させることができ、予定通りに遊戯を実行させることができる。
又、ケーシングを設けることにより、立体迷路形成用玩具を傾斜、反転等の取扱い操作を行うことが可能（自由）になり、転動体の三次元移動、一部経路のトラップとして利用するなどゲームの高度化に役立つ。また、ケーシングはブロックの収納以外出し入れ、配向変更など遊戯の利便性も向上できる。又、転動体の移動に必要となる微妙な動作制御は、身体の機能回復訓練用具としての効果も期待できる。
【００１９】
ケーシングの２つの開口又は３つの開口を閉じるためのカバー部材を設け、ケーシングにカバー部材を係止した状態でスライドさせてケーシングの開口を閉じるための係止案内手段をケーシング及びカバー部材に備えさせることによって、ケーシングに対するカバー部材の閉じ操作を容易迅速に行うことができる。
【００２０】
カバー部材及びケーシングの少なくとも一方に、ケーシング内に備えさせた立方体の出入り口に転動体を受け渡したり、ケーシング内から外部に転動体を移動させるための開口を形成することによって、遊戯性をより高めることができる。
【００２１】
出入り口を通して内部に受け入れた転動体を出入り口とは異なる方向から外部へ排出するための複数の他の出入り口とを連通させるための移動経路が形成されたブロックの複数を設け、特定の複数のブロックを転動体の受け渡し可能な状態でブロックの出入り口同士に嵌合して連結するための内部中空の開通路用連結部材とその他のブロックの出入口同士に嵌合して連結する内部中実の閉路用連結部材を設けて、立体迷路形成用玩具を構成する場合には、積み重ねたブロックが崩れるといったことがなく、遊戯に集中することができるだけでなく、ケーシングなどが不要になるといった利点もある。
【発明を実施するための最良の形態】
【００２２】
図１及び図２に、立体迷路形成用玩具（以下、単に玩具と称する）を示している。この玩具は、ケーシング１と、このケーシング１内に積み重ね収納された８個のブロック２と、これら各ブロック２に形成された後述する移動経路２Ｃを移動させるための転動体３とを備えている。そして、まず下側に位置する４個のブロック２を水平方向に並べてから、それらの上に残りの４個のブロック２を積み重ねていくことになり、それらブロック２を配置する際に、上下方向で隣り合うブロック２，２同士又は水平方向で隣り合うブロック２，２同士の出入り口の連結状態を考えながら配置していくことによって、全部のブロック２にて転動体３を案内する移動経路（図２ではドットを付けた部分が転動体３の移動経路になっている）を自由に変更することができるようになっている。前記ブロック２の個数は、８個の他、４個、１２個、１８個、図４（ａ）に示す２７個、図４（ｂ）に示す６４個など、どのような数に設定してもよいが、数が多ければ多いほど移動経路の自由度を増大させることができる。図１に示す４は、ブロック２がケーシング１の外部に飛び出すことを阻止するために、該ケーシング１の２つの開口１Ｅ，１Ｆを閉じるためのカバー部材であり、２枚の矩形状で板状の部材４Ａ，４ＢからなるＬ字状のものからなっているが、他の形状であってもよいし、場合によっては省略することもできる。前記カバー部材４は、ケーシング１の開口１Ｅ，１Ｆへ覆い被せることにより、ケーシング１に係止固定される解除自在な係止手段などを備えさせて実施することもできる。ここでは、ブロック２同士間に隙間の無い状態で並べているが、転動体３の受け渡しに支障のない状態で隙間を空けてブロック２を並べて実施することもできる。
【００２３】
又、図１５に示すように、ケーシング１とカバー部材４を構成してもよい。つまり、前記ケーシング１は、矩形状（図では正方形であるが、長方形であってもよい）の底板部１Ａとこの底板部１Ａの４辺のうちの特定の２辺から上方に立ち上げられた２つの矩形状の縦板部１Ｂ，１Ｃとから構成している。又、カバー部材４は、前記ケーシング１の３つの方向に形成された開口１Ｅ，１Ｆ，１Ｇを閉じるために、矩形状の天板部４Ａと、この天板部４Ａの隣り合う２辺から下方に垂下させた一対の縦板部４Ｂ，４Ｃとからなっている。
又、前記ケーシング１を構成する縦板部１Ｂ，１Ｃそれぞれの上端にカバー部材４を構成する縦板部４Ｂ，４Ｃの下端を係止した状態で下方へスライドさせてケーシング１の開口１Ｅ，１Ｆ，１Ｇを閉じるための係止案内手段１１をケーシング１及びカバー部材４に備えさせている。前記係止案内手段１１は、前記カバー部材４の縦板部４Ｂ，４Ｃの上下方向に沿う端面にほぼ上下方向全域に渡って突出形成された縦長状の突出部（断面形状が角形であるが、丸形や三角形などであってもよい）１１Ａと、この突出部１１Ａ，１１Ａに対してスライド自在に嵌合するべく、ケーシング１の縦板部１Ｂ，１Ｃの遊端部に上下方向ほぼ全域に形成された縦長状の溝部１１Ｂ（突出部１１Ａの形状によって変更可能である）とから構成している。従って、図１５に示す状態から、カバー部材４をそれの下端の突出部１１Ａ，１１Ａがケーシング１の溝部１１Ｂ，１１Ｂの上端に係合させてから下方へスライドさせることによって、ケーシング１に対するカバー部材４の閉じ操作を容易迅速に行うことができるようにしている。又、前記カバー部材４の縦板部１Ｂ，１Ｃの下端面に下方に突出する縦板部のほぼ横幅寸法全域に渡る長さの突出部４ｂ，４ｃを形成し、この突出部４ｂ，４ｃが入り込んでカバー部材４を係止保持するために、ケーシング１の底板部１Ａの内面（上面）で外周縁付近に横長状の溝部１ｂ，１ｃを形成して、ケーシング１から閉塞状態のカバー部材４が容易に外れることがないようにしているが、省略してもよい。
【００２４】
又、図１５及び図１６に示すように、カバー部材４に、ケーシング１内に備えさせた立方体２の出入り口２ａ，２ｂに転動体３を受け渡したり、ケーシング１内から外部に転動体３を移動させるための開口４Ｋを形成しているが、無くてもよい。前記開口４Ｋの個数及び大きさ（転動体３が通過できる大きさ以上に形成することになる）は、自由に変更可能である。例えば、ケーシング１に閉じ状態のカバー部材４の開口４Ｋと１つのブロック２の出入り口２ａとが同一位置となるように構成しているが、複数のブロック２の出入り口に連通する大きな開口をカバー部材４に形成することもできる。図ではカバー部材４に開口４Ｋを形成した場合を示しているが、ケーシング１にも前記開口を形成して実施することもできるし、カバー部材４及びケーシング１の両方に開口を形成して実施することもできる。
【００２５】
図１７（ａ），（ｂ）に示すように、多数のブロック２を転動体３の受け渡し可能な状態で該ブロックの出入り口同士に嵌合して連結するための内部が中空で（内面に転動体３の移動経路１２Ａが形成された）円筒状の開通路用連結部材１２を設けて、立体迷路形成用玩具を構成してもよい。この場合、ブロック２に６つの出入り口２ａ，２ｂ，２ｃ，２ｄ，２ｅ，２ｆを形成することによって、どの方向からも連結することができるようになっているが、出入り口の個数は、図に示す個数以外であってもよい。図１８（ａ）及び図１７（ａ）に示す１３は、図１８（ｄ）にも示すように、内部が中空ではない（移動経路がない）内部中実の閉（通）路用連結部材である。この閉（通）路用連結部材１３は、出入り口に挿入するために両端に備えさせた挿入部１３ａ，１３ａと、これら挿入部１３ａ，１３ａ間に位置し、挿入部１３ａ，１３ａよりも外径の大きな本体部１３ｂとから構成しているが、挿入部１３ａ，１３ａと本体部１３ｂとが同径の円柱体であってもよい。又、図１７（ａ）に示す１４は、図１８（ｂ）にも示すように、転動体３が出てこないように出入り口を単に塞ぐための閉塞部材であり、出入り口に挿入する縦長状の円柱部１４ｂと、これの円柱部１４ｂの一端に円柱部１４ｂよりも大きな直径を有するように備えさせた円盤部１４ａとからなっているが、他の構成であってもよい。前記開通路用連結部材１２を、図１８（ｃ）に示すように、出入り口に挿入するために両端に備えさせた挿入部１２ａ，１２ａと、これら挿入部１２ａ，１２ａ間に位置し、挿入部１２ａ，１２ａよりも外径の大きな本体部１２ｂとから構成してもよい。前記２つの連結部材１２，１３の長さを変更することによって、ブロック２，２同士の隙間（間隔）を変更することができる。
【００２６】
前記ブロック２は、透明（内部が視認できるものであれば半透明なものでもよい）な材料、例えば無色（有色でもよい）透明なアクリル樹脂（その他各種の透明な樹脂でもよい）を用いて、図３にも示すように、立方体（正六面体とも言う）に構成され、その立方体２の６面のうちの相対向する２面のほぼ中心にほぼ円形（角型や三角形などでもよい）の第１出入り口２ａ及び第２出入り口２ｂを形成し、かつ、それら２つの出入り口２ａ，２ｂを連通する直線状の第１移動経路２Ａを形成し、前記２つの面を除いた他の１つの面のほぼ中心に第３出入り口２ｃを形成し、かつ、この第３出入り口２ｃと前記第１移動経路２Ａのほぼ中央部とを連通する直線状の第２移動経路２Ｂを形成して、ほぼＴ字状の移動経路２Ｃを構成している。図３では、第１移動経路２Ａに対して第２移動経路２Ｂが直交するように形成したが、第１移動経路２Ａに対して第２移動経路２Ｂが交差する方向となるように形成してもよい。又、第１移動経路２Ａ及び第２移動経路２Ｂを直線状に形成する他、転動体３の移動速度が遅くなるように曲線状に形成してもよい。又、第１移動経路２Ａ及び第２移動経路２Ｂを塊状（中実）の立方体２を形成してから、切削加工により形成してもよいし、射出成形などにより第１移動経路２Ａ及び第２移動経路２Ｂが形成された立方体２を一挙に形成することによって、製造工程の削減化を図るようにしてもよい。
【００２７】
前記ケーシング１は、図１及び図３に示すように、前記ブロック２と同様に、透明（内部が視認できるものであれば半透明なものでもよい）な材料、例えば無色透明（有色でもよい）なアクリル樹脂（その他各種の透明な樹脂でもよい）を用いて形成され、矩形状（図では正方形であるが、長方形であってもよい）の底板部１Ａとこの底板部１Ａの４辺のうちの特定の３辺から上方に立ち上げられた３つの矩形状の縦板部１Ｂ，１Ｃ，１Ｄとから構成している。従って、ケーシング１の上方および水平横一側方の開放された開口１Ｅ，１Ｆからブロック２を並べたり、積み重ねることを容易に行えるようになっている。又、特定のブロック２のみを取り出して該ブロック２の向き（方向）を変更して再度戻すことも容易に行えるようになっている。そして、ケーシング１及びブロック２が透明であるため、例えば遊戯中に移動経路を忘れてしまった場合でも、すべてのブロック２を一々取り出して内部の移動経路２Ｃを確認する必要がなく、外部から容易に視認することができるようになっているが、ケーシング１及びブロック２を不透明な材料から構成して実施することもできる。前記ケーシング１を底板部１Ａの４辺のうちの隣り合う２辺から上方に立ち上げられた２つの矩形状の縦板部１Ｂ，１Ｃ（図１５で示したもの）から構成してもよい。この場合、カバー部材を、ケーシング１と同一のものから構成して実施してもよい。又、ケーシング１及びカバー部材４を、図２１で示すように、それぞれ３つの部材１Ａ，１Ｂ，１Ｃ及び４Ａ，４Ｂ，４Ｃからなるほぼコの字状のものから構成してもよい。
【００２８】
図５に、２７個のブロック２を積み重ねている途中の状態を示している。図５では、下段に位置する９個のブロック２を並べてから、２段目の１個目のブロック２を奥側の右端に位置する下側のブロック２に積み重ねているが、この場合、下側のブロック２の上面に形成の出入り口２ｃに転動体３を受け渡すために上側のブロック２の下面に形成の出入り口２ｃが連通状態となるように該上側のブロック２を積み重ねることになる。次に、前記２段目の１個目のブロック２の左端面に形成の出入り口２ｂに連通するように２個目のブロック２（図示せず）を積み重ねていき、これを繰り返して２段目に９個のブロック２を積み重ねる。続いて、２点鎖線で示す３段目のブロック２を積み重ねて、３段目に９個のブロック２を積み重ねることが終了することにより、立体迷路を作る段階までの遊戯の終了となり、転動体３を３段目の特定のブロック２の出入り口２ｃから挿入して図５の下側のブロック２内に矢印で示す終端まで移動させることができるようになっている。尚、２７個のブロック２の積み重ねが終了したときに、転動体３の移動経路を確認する場合に、例えば、出口となる出入り口に糸を挿入した状態とし、転動体３の入口となる出入り口から吸引装置などを用いて吸引することによって、出口に挿入した糸を入口まで引き出して確認するようにしてもよい。
【００２９】
前記転動体３は、ビー玉や金属製又は樹脂製のボール（球状体）の他、転がりにくい多角形のもので構成してもよい。
図６に示すように、前記ブロック２の第１移動経路２Ａの長手方向ほぼ中央に、第３出入り口２ｃから受け入れた転動体３を一時的に保持可能な凹部２Ｓを形成してもよい。このような凹部２Ｓを形成することによって、図６に示すように、第３出入り口２ｃが上面に位置し、かつ、第１出入り口２ａ及び第２出入り口（図示せず）が水平方向に位置している状態において、第３出入り口２ｃから受け入れた転動体３をそれの一部が凹部２Ｓに入り込んで転動体３を一時的に保持することができるから、第１移動経路２Ａに移動した転動体３が第１移動経路２Ａの両端に形成の２つの出入り口２ａ，２ｂのうちの排出したい側の出入り口から確実に排出させることができる利点があるが、無くてもよい。
【００３０】
図７に示すように、上下方向及び水平方向で隣り合うブロック２，２同士を連結固定することができるように構成することによって、前記ケーシング１を省略することができる。具体的には、各ブロック２の６面の四隅に係止孔２Ｋを形成し、これら係止孔２Ｋに差し込み可能な４本のピン５を備えさせているが、他の構成であってもよいし、通路（移動経路）の一部を係止孔に転用してもよい。例えば、図１２及び図１３に、４つの出入り口２ａ，２ｂ，２ｃ，２ｄが形成され、それら出入り口２ａ，２ｂ，２ｃ，２ｄのうちの対向位置する面に形成された２つの出入り口２ａ，２ｂを連通する一直線状の第１移動経路２Ａと、この第１移動経路２Ａのほぼ中央部から前記残りの出入り口２ｃ，２ｄのそれぞれを連通する第２移動経路２Ｂ及び第３移動経路２Ｄとを備えたブロック２を示し、そのブロック２に対して上下方向や水平方向に隙間無く配置される同一構成のブロック２を中実の円柱状部材９又は内部に転動体３を移動案内可能な中空部１０Ａが形成された円筒状部材１０を用いて連結することができるように構成している。尚、図１２、図１３において、円筒状部材１０の肉厚の大きさのみ出入り口から所定長さ分のみ移動経路の直径を大きくするための溝２ｍを形成しておくことによって、円筒状部材１０を差し込んだ場合の円筒状部材１０の差し込み量を段部２Ｈにて規制することができるだけでなく、移動経路の移動面を面一状にすることができる利点があるが、溝２ｍの無いストレートな移動経路であってもよい。又、図１１には、６面のうちの５面に出入り口２ａ，２ｂ，２ｃ，２ｄ，２ｅが形成されたブロック２を示し、相対向位置する２つの面に形成された２組の出入り口２ａ，２ｂ、２ｃ，２ｅを連通すると共に中央部において交わる一直線状の第１移動経路２Ａ及び第２移動経路２Ｂが形成され、それら移動経路２Ａ，２Ｂの中央部と残りの出入り口２ｄとを連通する第３移動経路２Ｄが形成されている。又、図１４には、６面のうちの３面に出入り口２ａ，２ｂ，２ｃが形成されたブロック２を示し、ブロック２の中心部と前記出入り口２ａ，２ｂ，２ｃとを連通するＸＹＺ方向にそれぞれ延びるように形成された第１移動経路２Ａ、第２移動経路２Ｂ、第３移動経路２Ｄが形成２Ｄを備えている。このように、立方体でなるブロック２の場合には、出入り口を６面のうちの最大５面に備えさせて実施することができる。又、図１〜図１４に示したブロック２の一種類のみで転動体３の移動経路を構成する他、２種類（複数種類）以上のブロック２を組み合わせて転動体３の移動経路を構成することもできる。
【００３１】
前記ブロック２を、図８（ａ），（ｂ），（ｃ）に示すような多面体に構成してもよい。つまり、図８（ａ）では、三角錐（正四面体）に形成されたものを示し、４面のうちの３面に出入り口２ａ，２ｂ，２ｃを形成している。図８（ｂ）は、３つの出入り口２ａ，２ｂ，２ｃを立方体からなるブロック２の端に角形に形成することによって、２つの移動経路２Ａ，２Ｂの一部が外部に露出する状態になったものを示している。又、図８（ｃ）では、立方体からなるブロック２の３辺を切り欠いたものを示し、一直線状の前記第１移動経路２Ａが２つに分かれた状態になっている。尚、図８（ｂ），（ｃ）のように、内部に孔を備えさせない場合には、成形金型を単純化することができ、成形面において有利になる。前記ブロック２は、図に示す多面体以外の各種の多面体（例えば四角錐、正十二面体など）に構成して実施することもできる。
又、図１９（ａ）に示すように、三角柱のブロック２（５面全てに出入り口２ａ〜２ｅを形成しているが、特定の面にのみ出入り口を形成して実施してもよい）であってもよい。そして、この三角柱のブロック２を、図１９（ｂ）に示すように、水平方向及び上下方向に積み重ねることができる。この場合、図のように右斜め上方にブロック２が傾いた状態で積み重ねることになるため、ケーシング１を構成する底板部１Ａの外周縁に対して上方へ向けて延びる３つの縦板部１Ｂ，１Ｃ，１Ｄを図１９（ｂ）に示すように構成している。又、カバー部材４も同様に２つの部材４Ａ，４Ｂの連結角度をブロック２に合わせて９０度以上にすることになる。
又、前記三角柱のブロック２の多数を、図２０に示すように、前記連結部材１２，１３を利用して連結して、立体迷路形成用玩具を構成してもよい。図２０では、連結している途中を示しており、前記閉塞部材１４にて空いてる出入り口２ａ〜２ｅを塞ぐことになる。
【００３２】
前記玩具を、図９及び図１０に示すように構成してもよい。つまり、ケーシング１を構成する４つの板部１Ａ，１Ｂ，１Ｃ，１Ｄに水平方向に延びる断面形状が異なる３種類のガイド部材６，７，８を全部で１６個備えさせ、これらガイド部材６，７，８のうちの特定の４個のガイド部材６，７，８に前記ブロックをスライド移動自在にするべく、該ブロックの１２辺を切り欠いてガイド溝２Ｍを形成している。このようにガイド部材６，７，８を利用して２７個のブロック２を組んでいくことによって、遊戯中に特定のブロック２が崩れるといったトラブルがないだけでなく、遊戯の途中で特定のブロック２を組み替える場合でも、一部の列のブロック２のみを取り出すだけで済み、ブロック２の組み替えを迅速に行うことができる。前記ガイド部材６，７，８をケーシング１に射出成形などにより一体形成する他、別体形成されたガイド部材６，７，８を接着剤や熱溶着等によりケーシング１に備えさせてもよい。又、前記ガイド部材６，７，８は、前記ブロック２と同様に、透明（内部が視認できるものであれば半透明なものでもよい）な材料、例えばアクリル樹脂（その他各種の透明な樹脂でもよい）を用いて構成することが好ましい。又、ガイド部材６，７，８は、３個のブロック２をガイドするように本数を設定したが、それらの本数は自由に変更することができる。
【図面の簡単な説明】
【００３３】
【図１】玩具の斜視図である。
【図２】転動体の移動経路を分かり易くした玩具の一部省略の斜視図である。
【図３】ケーシングにブロックを並べる直前の状態を示す斜視図である。
【図４】ブロック数の異なる玩具の一部省略の斜視図であり、（ａ）はブロック数が２７個の場合であり、（ｂ）はブロック数が６４個の場合である。
【図５】ケーシングにブロックを積み重ねている途中の状態を示す玩具の一部省略の斜視図である。
【図６】別のブロックを示す縦断面図である。
【図７】ブロック同士を連結可能とした構成を示す２つのブロックの斜視図である。
【図８】（ａ），（ｂ），（ｃ）は別のブロックを示す斜視図である。
【図９】別の構成の玩具のケーシングを示す斜視図である。
【図１０】図９で示したケーシング内にブロックを配置した縦断正面図である。
【図１１】別のブロックを示す斜視図である。
【図１２】別のブロックの３個を連結する直前の状態を示す斜視図である。
【図１３】図１２で示した３個のブロックを連結した状態を示す縦断面図である。
【図１４】別のブロックを示す斜視図である。
【図１５】別の構成の玩具の斜視図である。
【図１６】図１５で示した玩具の要部の拡大斜視図である。
【図１７】別の構成の玩具を示し、（ａ）は斜視図、（ｂ）は要部の断面図である。
【図１８】図１７で示した玩具の各種部品の斜視図を示し、（ａ）はブロック、（ｂ）は閉塞部材、（ｃ），（ｄ）は連結部材である。
【図１９】（ａ）は三角柱のブロックの斜視図であり、（ｂ）は（ａ）のブロックの多数を積み重ねた状態を示す斜視図である。
【図２０】別の構成の玩具の斜視図である。
【図２１】別のケーシングとカバー部材を示す斜視図である。
【符号の説明】
【００３４】
１  ケーシング
１Ａ，１Ｂ，１Ｃ，１Ｄ  板部
１Ｅ，１Ｆ，１Ｇ  開口
２Ｍ  ガイド溝
２  ブロック（立方体）
２Ｋ  係止孔
２ｍ  溝
２Ｈ  段部
２Ｓ  凹部
２ａ，２ｂ，２ｃ，２ｄ，２ｅ  出入り口
２Ａ，２Ｂ，２Ｃ，２Ｄ  移動経路
３  転動体
４  カバー部材
４Ａ，４Ｂ  部材
４Ｋ  開口
５  ピン
６，７，８  ガイド部材
９  円柱状部材
１０  円筒状部材
１０Ａ  中空部
１１  係止案内手段
１１Ａ  突出部
１１Ｂ  溝部
１２，１３  連結部材
１２ａ，１３ａ  挿入部
１２ｂ，１３ｂ  本体部
１４ｂ  円柱部
１４ａ  円盤部
１４  閉塞部材
【図１】
2006000619.tif 000003
【図２】
2006000619.tif 000004
【図３】
2006000619.tif 000005
【図４】
2006000619.tif 000006
【図５】
2006000619.tif 000007
【図６】
2006000619.tif 000008
【図７】
2006000619.tif 000009
【図８】
2006000619.tif 000010
【図９】
2006000619.tif 000011
【図１０】
2006000619.tif 000012
【図１１】
2006000619.tif 000013
【図１２】
2006000619.tif 000014
【図１３】
2006000619.tif 000015
【図１４】
2006000619.tif 000016
【図１５】
2006000619.tif 000017
【図１６】
2006000619.tif 000018
【図１７】
2006000619.tif 000019
【図１８】
2006000619.tif 000020
【図１９】
2006000619.tif 000021
【図２０】
2006000619.tif 000022
【図２１】
2006000619.tif 000023